(57)【要約】【課題】一のプロジェクタを用い、他のプロジェクタが投影中の画像を一覧表示して投影することのできるプロジェクタ及びプロジェクタシステムを提供することを目的とするもの。【解決手段】通信経路３を介して画像データを取得し、当該画像データに応じた画像を投影するプロジェクタ１において、通信経路３を介して接続された他のプロジェクタ１のうち、画像を投影中のプロジェクタ１を検出する検出手段と、検出手段によって検出された画像投影中のプロジェクタ１に対して、その投影中の画像の画像データをそれぞれ要求する画像データ要求手段と、画像データ要求手段で要求した画像データを通信経路を介して取得する画像データ取得手段と、画像データ取得手段により取得した画像データに応じた画像を一覧表示して投影する投影手段と、を備えたことを特徴とする。【選択図】図１
2009086369.tif 000002
【特許請求の範囲】
【請求項１】
通信経路を介して画像データを取得し、当該画像データに応じた画像を投影するプロジェクタにおいて、
前記通信経路を介して接続された他のプロジェクタのうち、画像を投影中のプロジェクタを検出する検出手段と、
前記検出手段によって検出された前記画像投影中のプロジェクタに対して、その投影中の画像の画像データをそれぞれ要求する画像データ要求手段と、
前記画像データ要求手段で要求した画像データを前記通信経路を介して取得する画像データ取得手段と
前記画像データ取得手段により取得した画像データに応じた画像を一覧表示して投影する投影手段と、
を備えたことを特徴とするプロジェクタ。
【請求項２】
前記画像データ取得手段で取得する画像データの画像サイズを指定するサイズ指定手段を有し、
前記画像データ要求手段は、前記サイズ指定手段で指定された画像サイズの画像データを前記画像投影中のプロジェクタに要求する
ことを特徴とする請求項１に記載のプロジェクタ。
【請求項３】
前記画像データ要求手段は、前記検出手段で検出した前記画像投影中のプロジェクタの数に応じた画像サイズの画像データを、前記画像投影中のプロジェクタに要求する
ことを特徴とする請求項１に記載のプロジェクタ。
【請求項４】
前記他のプロジェクタが投影中の画像以外の画像の画像データを指定する画像指定手段を有し、
前記画像データ要求手段は、前記画像指定手段で指定された画像の画像データを当該他のプロジェクタに要求する
ことを特徴とする請求項１〜３のいずれか１項に記載のプロジェクタ。
【請求項５】
他のプロジェクタからの要求に応じて、自装置で投影中の画像の画像データを前記通信経路を介して送信する画像データ送信処理手段を備えたことを特徴とする請求項１〜４のいずれか１項に記載のプロジェクタ。
【請求項６】
前記画像データ送信処理手段は、前記他のプロジェクタから画像サイズの指定があるとき、当該画像サイズの前記画像データを送信することを特徴とする請求項５に記載のプロジェクタ。
【請求項７】
前記画像データ送信処理手段は、前記他のプロジェクタから前記投影中の画像以外の画像の画像データの要求があるとき、当該要求に応じた画像データを送信することを特徴とする請求項５又は請求項６のいずれか１項に記載に記載のプロジェクタ。
【請求項８】
通信経路を介して画像データを取得し、当該画像データに応じた画像を投影する複数のプロジェクタを備えたプロジェクタシステムにおいて、
前記複数のプロジェクタのうち一のプロジェクタは、
前記通信経路を介して接続された他のプロジェクタのうち、画像を投影中のプロジェクタを検出する検出手段と、
前記検出手段によって検出された前記画像投影中のプロジェクタで投影中の画像の画像データを要求する画像送信命令を送信する投影画像送信要求手段と、
前記投影画像送信要求手段で要求して取得した画像データに応じた画像を一覧表示して投影する投影手段と、を備え、
前記他のプロジェクタは、
前記一のプロジェクタからの要求に応じて、自装置が画像を投影中であるか否かを判定する投影状態検出手段と、
前記投影状態検出手段により自装置で画像を投影していると判定したときに、前記一のプロジェクタからの要求に応じて自装置で投影中の画像に応じた画像データを送信する画像データ送信手段と、を備えたことを特徴とするプロジェクタシステム。
【発明の詳細な説明】
【技術分野】
【０００１】
本発明は、プロジェクタ及びプロジェクタシステムに関し、特に、一のプロジェクタを用いて他のプロジェクタが投影中の画像の一覧表示を行うことのできるプロジェクタ及びプロジェクタシステムに関する。
【背景技術】
【０００２】
従来より、コンピュータ装置等から画像データを入力して液晶表示素子に当該画像データに基づく画像を表示し、この液晶表示素子に光を照射して投影スクリーン上に拡大投影するプロジェクタが広く使用されている。
【０００３】
このようなプロジェクタをインターネット等の通信経路を介して接続することにより、プロジェクタの投影する画像を管理するものが知られている。例えば、特許文献１には、複数のプロジェクタがインターネットを介してサーバと接続しており、サーバが各プロジェクタに対して投影すべき画像の画像データを送信し、各プロジェクタが当該画像データを取得するとともに、当該取得した画像データに基づく画像を投影するプロジェクタシステムが開示されている。かかる発明によれば、複数のプロジェクタが投影する画像の一元管理が可能となる。
【特許文献１】特開２００２−５６１３７号公報
【発明の開示】
【発明が解決しようとする課題】
【０００４】
しかしながら、上記システムでは、サーバが各プロジェクタの投影画像を管理していることから、各プロジェクタがどのような画像を投影しているのかをサーバ側で把握することはできるものの、様々な場所に設置された各プロジェクタがそれぞれ独自に操作されて投影している画像は把握することができない。
【０００５】
例えば、スーパーの各売り場に設置されたプロジェクタが、当該各売り場に応じた広告画像を投影しているような場合において、スーパーの経営者が事務所内などで、各売り場に設置されたプロジェクタが現在どの画像を投影しているかを確認したい場合がある。また、複数の会議室を使用して行われる会議において、会議の主催者等が、各会議室に設置されているプロジェクタが現在どの画像を投影しているかを確認したい場合もある。このような場合、特許文献１に記載の発明では、これらの状況に対応することができなかった。
【０００６】
そこで、本発明は、他のプロジェクタが投影中の画像を一覧表示して投影することのできるプロジェクタ及びプロジェクタシステムを提供することを目的とするものである。
【課題を解決するための手段】
【０００７】
上記課題を解決するために、請求項１に記載の発明は、通信経路を介して画像データを取得し、当該画像データに応じた画像を投影するプロジェクタにおいて、前記通信経路を介して接続された他のプロジェクタのうち、画像を投影中のプロジェクタを検出する検出手段と、前記検出手段によって検出された前記画像投影中のプロジェクタに対して、その投影中の画像の画像データをそれぞれ要求する画像データ要求手段と、前記画像データ要求手段で要求した画像データを前記通信経路を介して取得する画像データ取得手段と、前記画像データ取得手段により取得した画像データに応じた画像を一覧表示して投影する投影手段と、を備えたことを特徴とする。
【０００８】
また、請求項２に記載の発明は、請求項１に記載の発明において、前記画像データ取得手段で取得する画像データの画像サイズを指定するサイズ指定手段を有し、前記画像データ要求手段は、前記サイズ指定手段で指定された画像サイズの画像データを前記画像投影中のプロジェクタに要求することを特徴とする。
【０００９】
また、請求項３に記載の発明は、請求項１に記載の発明において、前記画像データ要求手段は、前記検出手段で検出した前記画像投影中のプロジェクタの数に応じた画像サイズの画像データを、前記画像投影中のプロジェクタに要求することを特徴とする。
【００１０】
また、請求項４に記載の発明は、請求項１〜３のいずれか１項に記載の発明において、前記他のプロジェクタが投影中の画像以外の画像の画像データを指定する画像指定手段を有し、前記画像データ要求手段は、前記画像指定手段で指定された画像の画像データを当該他のプロジェクタに要求することを特徴とする。
【００１１】
また、請求項５に記載の発明は、請求項１〜４のいずれか１項に記載の発明において、他のプロジェクタからの要求に応じて、自装置で投影中の画像の画像データを前記通信経路を介して送信する画像データ送信処理手段を備えたことを特徴とする。
【００１２】
また、請求項６に記載の発明は、請求項５に記載の発明において、前記画像データ送信処理手段は、前記他のプロジェクタから画像サイズの指定があるとき、当該画像サイズの前記画像データを送信することを特徴とする。
【００１３】
また、請求項７に記載の発明は、請求項５又は請求項６のいずれか１項に記載の発明において、前記画像データ送信処理手段は、前記他のプロジェクタから前記投影中の画像以外の画像の画像データの要求があるとき、当該要求に応じた画像データを送信することを特徴とする。
【００１４】
また、請求項８に記載の発明は、通信経路を介して画像データを取得し、当該画像データに応じた画像を投影する複数のプロジェクタを備えたプロジェクタシステムにおいて、前記複数のプロジェクタのうち一のプロジェクタは、前記通信経路を介して接続された他のプロジェクタのうち、画像を投影中のプロジェクタを検出する検出手段と、前記検出手段によって検出された前記画像投影中のプロジェクタで投影中の画像の画像データを要求する画像送信命令を送信する投影画像送信要求手段と、前記投影画像送信要求手段で要求して取得した画像データに応じた画像を一覧表示して投影する投影手段と、を備え、前記他のプロジェクタは、前記一のプロジェクタからの要求に応じて、自装置が画像を投影中であるか否かを判定する投影状態検出手段と、前記投影状態検出手段により自装置で画像を投影していると判定したときに、前記一のプロジェクタからの要求に応じて自装置で投影中の画像に応じた画像データを送信する画像データ送信手段と、を備えたことを特徴とするプロジェクタシステムとした。
【発明の効果】
【００１５】
請求項１、請求項５、請求項８に記載の発明によれば、通信経路を介して接続された他のプロジェクタが投影中の画像を画像データ要求手段により要求し、さらに、取得した画像データに応じた画像を投影手段により一覧表示して投影する構成としたため、一のプロジェクタを用い、他のプロジェクタが現在どのような画像を投影しているかを容易に把握することができる。
【００１６】
請求項２及び請求項６に記載の発明によれば、画像データ取得手段で取得する画像データの画像サイズを指定するサイズ指定手段を有する構成としたため、他のプロジェクタが投影中の画像を一覧表示して投影する際、任意の画像サイズの画像を投影することができる。また、他のプロジェクタが送信する画像データの画像サイズは、個別に投影した場合の画像サイズよりも小さいため、通信するデータ量が小さくなり、通信経路にかかる負荷を軽減することができる。
【００１７】
請求項３及び請求項６に記載の発明によれば、検出手段で検出した画像投影中のプロジェクタの数に応じた画像サイズの画像データを他のプロジェクタに要求することにより、取得した画像を投影手段により一覧表示して投影した際の投影画像の見栄えを良くすることができる。
【００１８】
請求項４及び請求項７に記載の発明によれば、画像指定手段を有することにより、投影手段により投影する画像として、他のプロジェクタが投影中の画像以外の画像も一覧表示して投影することができる。
【発明を実施するための最良の形態】
【００１９】
［１．プロジェクタシステムの概要］
以下に、本発明に係るプロジェクタシステムの一実施の形態について、図面を参照して具体的に説明する。図１は本実施形態におけるプロジェクタシステムの適用例を示した図であり、図２は本実施形態にかかるプロジェクタシステムの概略的なシステム構成図であり、図３は本実施形態における各プロジェクタが投影中の画像を一覧表示した際に表示される画像の一例を示した図であり、図４は画像投影中のプロジェクタが９台ある場合における、一覧表示した投影画像の一例であり、図５はサイズ指定手段により画像サイズを指定した場合における一覧表示した投影画像の一例であり、図６は本実施形態における画像データ群の説明図であり、図７は画像指定手段により、投影中の画像以外の画像を要求した場合における一覧表示した投影画像の一例である。
【００２０】
なお、ここでは、プロジェクタシステムの一例として、各プロジェクタをスーパーの各売り場に設置した場合について説明するが、本発明は、これに限定するものではなく、例えば、複数のプロジェクタを複数の会議室に設置した場合等に対して適用することもできる。
【００２１】
図１に示すように、本実施形態にかかるプロジェクタシステムＳでは、４台のプロジェクタ１ａ〜１ｄが、スーパーの各売り場及び事務所に設置されている。すなわち、プロジェクタ１ａは事務所に設置され、プロジェクタ１ｂは魚売り場に設置され、プロジェクタ１ｃは肉売り場に設置され、プロジェクタ１ｄは野菜売り場に設置されている。そして、プロジェクタ１ａの投影領域４０ａには、消費者に配布するチラシ等の広告の画像が投影されており、また、プロジェクタ１ｂ〜１ｄの投影領域４０ｂ〜４０ｄには、各売り場の安売り情報等が表示された画像が投影されている。
【００２２】
かかる状況において、本実施形態にかかるプロジェクタシステムＳでは、例えば、事務所に設置されたプロジェクタ１ａの投影領域４０ａに、他のプロジェクタ１ｂ〜１ｄが投影中の画像を一覧表示して投影することができ、これにより、スーパーの経営者や従業員は、各売り場を回らずとも、事務所に居ながらにして他のプロジェクタ１ｂ〜１ｄが投影中の画像を把握することが可能となる。
【００２３】
本実施形態にかかるプロジェクタシステムＳは、図２に示すように、４台のプロジェクタ１ａ〜１ｄと、プロジェクタ１ａ〜１ｄを遠隔操作するリモコン２ａ〜２ｄと、各プロジェクタ１ａ〜１ｄに装着するメモリーカードなどの記憶装置４ａ〜４ｄとから構成される。４台のプロジェクタ１ａ〜１ｄは、通信経路３としての無線ＬＡＮを介して相互に通信可能に接続されている。また、記憶装置４ａ〜４ｄは、投影用の画像の画像データを記憶しており、各プロジェクタ１ａ〜１ｄは、記憶装置４ａ〜４ｄからこの画像データを取得する。なお、記憶装置４ａ〜４ｄは、各プロジェクタ１ａ〜１ｄとＵＳＢケーブル等の通信経路を介して接続されるコンピュータ装置等であってもよい。また、プロジェクタ１ａ〜１ｄとリモコン２ａ〜２ｄとの間の無線通信は、赤外線による赤外線データ通信を採用している。
【００２４】
なお、以下において、プロジェクタ１ａ〜１ｄの任意の一つを表す場合にはプロジェクタ１と表現し、リモコン２ａ〜２ｄの任意の一つを表す場合にはリモコン２と表現し、記憶装置４ａ〜４ｄの任意の一つを表す場合には記憶装置４と表現するものとする。また、プロジェクタ１ａ〜１ｄの投影領域４０ａ〜４０ｄの任意の一つを表す場合には投影領域４０と表現するものとする。
【００２５】
本実施形態にかかるプロジェクタシステムＳにおいて、各プロジェクタ１は、検出手段と、画像データ要求手段と、画像データ取得手段と、投影手段とを有している。そして、例えば、プロジェクタ１ａが、通信経路３を介して接続された他のプロジェクタ１ｂ〜１ｄのうち画像投影中のプロジェクタを検出手段により検出し、検出された画像投影中のプロジェクタ１ｂ〜１ｄに対して、その投影中の画像の画像データを画像データ要求手段によりそれぞれ要求し、要求に応じた画像データを画像データ取得手段により取得し、取得した画像データに応じた画像を一覧表示して投影手段により投影することによって、図３に示すように、プロジェクタ１ａの投影領域４０ａには、各売り場に設置されたプロジェクタ１ｂ〜１ｄが投影中の画像を一覧表示して投影されることとなる。
【００２６】
ここで、本実施形態における画像データ要求手段は、検出手段で検出した画像投影中のプロジェクタの数に応じた画像サイズの画像データを、画像投影中のプロジェクタ１に要求することとしている。
【００２７】
例えば、画像投影中のプロジェクタが９台ある場合、プロジェクタ１ａは、画像データ要求手段により、９つの画像が投影領域４０ａ内に等しい大きさで全て収まるような画像サイズの画像データを、当該検出したプロジェクタ１に要求する。これにより、図４に示すように、プロジェクタ１ａは、投影領域４０ａに、検出した９台のプロジェクタから取得した各画像を全て投影させることができ、さらに、各画像を均等な画像サイズで投影させることができるため、一覧表示の見栄えを良くすることができる。
【００２８】
また、本実施形態におけるプロジェクタ１は、画像データ取得手段で取得する画像データの画像サイズを指定するサイズ指定手段を有しており、このサイズ指定手段により画像サイズを指定した場合、当該指定された画像サイズの画像データを画像投影中のプロジェクタ１に要求することとしている。
【００２９】
例えば、プロジェクタ１ａのユーザが、プロジェクタ１ａのサイズ指定手段により、プロジェクタ１ｄから取得する画像の画像データを大きいサイズに指定するとともに、その他の画像の画像データを小さいサイズに指定した場合、プロジェクタ１ａは、画像データ要求手段により、プロジェクタ１ｂ、１ｃには小さい画像サイズの画像データを要求し、プロジェクタ１ｄには大きな画像サイズの画像データを要求する。これにより、図５に示すように、プロジェクタ１ａの投影領域４０ａには、プロジェクタ１ｄから取得した画像が大きく投影され、その他のプロジェクタ１ａ，１ｂ，１ｃの画像は小さく投影されることとなる。このように、予め画像データのサイズを小さく指定し、当該サイズの画像データを通信経路３を介して取得することにより、通信データ容量が小さくなり、通信経路３にかかる負荷を軽減することができると同時に、プロジェクタ１ａにおいて、受信したサイズの大きい画像データから縮小画像を生成するなどの画像処理を行う必要がないため、システム全体の効率を向上させることができる。
【００３０】
また、本実施形態におけるプロジェクタ１は、他のプロジェクタ１が投影中の画像以外の画像の画像データを指定する画像指定手段を有しており、この画像指定手段により、他のプロジェクタ１が投影中の画像以外の画像の画像データを指定した場合、当該指定された画像の画像データを当該他のプロジェクタに要求することとしている。
【００３１】
ここで、本実施形態におけるプロジェクタ１は、単一の画像データに応じた画像を投影する他、例えば、プレゼンテーション用のデータファイルのように、複数の画像データを含んだ画像データ群を記憶装置４から取得し、当該画像データ群に含まれる複数の画像データのうちの一つの画像データに応じた画像を投影する場合がある。
【００３２】
例えば、図６に示すように、プロジェクタ１ｄが記憶装置４ｄから取得した画像データ群３０には５つの画像データが含まれており、これら５つの画像データに応じた画像３０ａ〜３０ｅがそれぞれ３０ａ→３０ｂ→３０ｃ→３０ｄ→３０ｅの順で投影されるように関連付けられている。また、図１に示すように、プロジェクタ１ｄは、画像３０ｃを投影しているため、かかる場合、画像３０ｃが投影中の画像となり、投影中の画像以外の画像は、画像３０ａ，３０ｂ，３０ｄ，３０ｅとなる。
【００３３】
そして、プロジェクタ１ａのユーザが、プロジェクタ１ａの画像指定手段により、プロジェクタ１ｄに要求する画像の画像データとして、投影中の画像３０ｃに対して一つ前の画像である画像３０ｂの画像データを指定した場合、プロジェクタ１ａは、画像データ要求手段により、プロジェクタ１ｄに対して画像３０ｂの画像データを要求する。これにより、図７に示すように、プロジェクタ１ａの投影領域４０ａには、投影中の画像以外の画像として、画像３０ｂが投影されることとなる。
【００３４】
なお、各プロジェクタ１は、画像データ群に含まれる各画像データに応じた画像が、現在投影中の画像に対して何番目の画像であるかを示す画像位置情報を、各画像の設定情報とともに後述する投影状態管理テーブルに記憶している。例えば、図６に示すように、画像位置情報は、投影中の画像３０ｃの場合は「０」となり、投影中の画像３０ｃに対して一つ前の画像は「−１」、二つ前の画像は「−２」となり、投影中の画像３０ｃに対して一つ後の画像は「＋１」、二つ後の画像は「＋２」となる。
【００３５】
［２．プロジェクタ等の構成について］
次に、プロジェクタ１の構成について説明する。図８は本実施形態におけるプロジェクタ１の構成図であり、図９は本実施形態におけるプロジェクタ１に記憶される投影状態管理テーブルの一例を示す図であり、図１０は本実施形態におけるプロジェクタ１に記憶される画像情報管理テーブルの一例を示す図であり、図１１は本実施形態におけるリモコン２の外観図である。
【００３６】
プロジェクタ１は、図８に示すように、各種操作を行うための操作パネル１０１と、設定情報や画像データ群などを保持するための不揮発性メモリである記憶部１０２と、リモコン装置との赤外線による無線通信を行う赤外線通信部１０３と、他のプロジェクタ１と通信するためのＬＡＮインターフェース１０４と、外部から映像信号を入力する映像信号入力回路１０５と、映像信号入力回路１０５を介して入力される映像信号やＬＡＮインターフェース１０４を介して取得した画像データに所定の処理を施す画像処理回路１０６と、この画像処理回路１０６から出力される画像信号に基づいた画像を投影する投影部１０７と、プロジェクタ１全体を制御する制御部１０８と、を備えており、これらはハウジングに内蔵される。なお、プロジェクタ１には、ＬＡＮインターフェース１０４の他にＵＳＢインターフェースを設けてもよく、このＵＳＢインターフェースを用いて他のプロジェクタ１と通信することとしてもよい。
【００３７】
操作パネル１０１は、各種操作を行うためのボタンや表示部（例えば、ＬＣＤ）などから構成され、プロジェクタ１において使用者がこの操作パネル１０１を操作することによって、その操作内容に応じた制御を制御部１０８が実行することになる。
【００３８】
記憶部１０２は、フラッシュメモリ（flash memory）やハードディスクなどから構成され、外部装置或いは他のプロジェクタ１から取得した画像データを記憶する他、投影状態管理テーブル、画像情報管理テーブル等を記憶する。
【００３９】
赤外線通信部１０３は、赤外線ＬＥＤなどから構成される赤外線受光部１３１と、赤外線受光部１３１により受信した赤外線信号をデータに変換する処理を行う赤外線制御部１３２とを備えている。
【００４０】
ＬＡＮインターフェース１０４は、通信経路３としての無線ＬＡＮを介して他のプロジェクタ１と通信するときに制御部１０８によって用いられる。なお、通信経路３として、有線ＬＡＮを利用してもよい。
【００４１】
映像信号入力回路１０５は、コンポジット映像信号（例えばＮＴＳＣ映像信号）やコンポーネント映像信号（例えばＲＧＢ信号）などの映像信号を入力する。
【００４２】
画像処理回路１０６は、制御部１０８による制御に基づいて、映像信号入力回路１０５に入力された映像信号或いはＬＡＮインターフェース１０４を介して取得した画像データに対して、他のプロジェクタ１から取得した画像データとの合成等の加工を行う。このように加工されて生成された画像信号は、投影部１０７に入力される。
【００４３】
投影部１０７は、光源駆動回路１２０と、光源１２１と、照明光学系１２２と、透過型液晶パネル１２３（以下、「ＬＣＤ１２３」とする。）と、結像光学系１２４と、ＬＣＤ駆動回路１２５と、ピント調整機構１２６とを備えている。
【００４４】
光源１２１は、ランプなどから構成され、制御部１０８によって制御された光源駆動回路１２０から出力される信号に基づいて、点灯駆動されて発光する。光源１２１で発光された光は、照明光学系１２２によって、照明光としてＬＣＤ１２３に照射される。
【００４５】
ＬＣＤ１２３は、ＬＣＤ駆動回路１２５によって駆動され、その表示面に映像を表示する。このように表示された映像は、照明光学系１２２を介して光源１２１から出射される照明光によって照明され、これにより画像光が生成される。続いて、この画像光は、結像光学系１２４及びハウジングの投影用開口部（図示せず）を通って、スクリーン（投射面）に投影される。このように、ＬＣＤ１２３に表示される画像がスクリーンに投影される構成となっている。なお、ピント調整機構１２６によって、スクリーンに投影する画像のピントを調整することができる。
【００４６】
制御部１０８は、ＣＰＵ(Central Processing Unit)，ＲＯＭ（Read Only Memory)，ＲＡＭ（Random Access Memory)などを内蔵しており、ＣＰＵがＲＯＭに予め格納されたプログラムを読み出して実行することによって、投影状態検出手段、検出手段、画像データ要求手段、画像データ取得手段、投影手段、サイズ指定手段、画像指定手段、画像データ送信処理手段等として機能する。
【００４７】
制御部１０８は、検出手段として機能することにより、通信経路３を介して接続された他のプロジェクタ１のうち、画像を投影中のプロジェクタ１を検出する。この処理は、制御部１０８が、他のプロジェクタ１に対して、画像投影中であるか否かを問う信号を送信し、当該他のプロジェクタ１から自装置が画像投影中であることを示す信号を受信することにより行われる。ここで、画像を投影中のプロジェクタ１を検出すると、制御部１０８は、検出したプロジェクタ１のＩＤを取得し、後述する画像情報管理テーブルの情報を更新する。
【００４８】
一方、制御部１０８は、投影状態検出手段として機能することにより、他のプロジェクタ１からの要求に応じて、自装置が画像を投影中であるか否かを判定する。ここで、制御部１０８は、画像を投影部１０７より投影する際に、投影中フラグをセットすることとしており、他のプロジェクタ１から画像投影中であるか否かを問う信号を受信した際、この投影中フラグがセットされているか否かを判定する。そして、当該投影中フラグがセットされていると判定した場合、制御部１０８は、当該他のプロジェクタ１に対して、自装置が画像投影中であることを示す信号を送信する。
【００４９】
また、制御部１０８は、画像データ要求手段として機能することにより、検出手段によって検出された画像投影中のプロジェクタ１に対して、その投影中の画像の画像データをそれぞれ要求する。ここで、かかる画像データの要求は、制御部１０８が当該画像投影中のプロジェクタ１に対しＬＡＮインターフェース１０４を介して画像送信命令を送信することにより行われる。
【００５０】
また、制御部１０８は、画像データ要求手段として機能することにより、検出手段で検出した画像投影中のプロジェクタ１の数に応じた画像サイズの画像データを、画像投影中のプロジェクタ１に要求する。
【００５１】
また、サイズ指定手段により、取得する画像データの画像サイズを指定した場合、制御部１０８は、画像データ要求手段として機能することにより、指定された画像サイズの画像データを画像投影中のプロジェクタ１に要求する。
【００５２】
また、画像指定手段により他のプロジェクタ１が投影中の画像以外の画像を指定した場合、制御部１０８は、画像データ要求手段として機能することにより、指定された画像の画像データを当該他のプロジェクタ１に要求する。
【００５３】
また、制御部１０８は、画像データ送信処理手段として機能することにより、他のプロジェクタ１から送信された画像送信命令に応じて、自装置で投影中の画像、或いは、投影中の画像以外の画像の画像データを通信経路３を介して送信する。
【００５４】
この際、制御部１０８は、指定された画像サイズ及び当該画像データに基づく画像の設定情報に基づく画像データを送信することとしている。すなわち、制御部１０８は、自装置で投影中の画像、或いは、投影中の画像以外の画像の画像データに対して、指定された画像サイズ及び当該画像データに基づく画像の設定情報に基づいて、当該画像データを編集し、送信用の画像データを生成して、この生成した画像データを投影画像送信命令を送信したプロジェクタ１へ送信する。
【００５５】
ここで、各プロジェクタ１は、投影済みの画像に対してなされた設定を各画像ごとに管理する投影状態管理テーブルを有している。この投影状態管理テーブルは、図９に示すように、設定情報として、縮尺率と色合いに関する情報が、画像位置情報と関連付けられて記憶されている。このように、投影状態管理テーブルを有することにより、各プロジェクタ１は、他のプロジェクタ１から投影中の画像以外の画像を要求された場合であっても、当該要求された画像に対してなされた設定を再現した画像データを生成して送信することができる。なお、画像の縮尺率の変更は、後述するリモコン２の縮尺変更スイッチ２０９を押下したのち、十字キー２０３及び決定キー２０４を所定操作することにより行われる。また、画像の色合いの変更は、リモコン２の色合い変更スイッチ２１０を押下したのち、十字キー２０３及び決定キー２０４を所定操作することにより行われる。
【００５６】
また、制御部１０８は、画像データ取得手段として機能することにより、画像データ要求手段で要求した画像データを通信経路３を介して取得する。
【００５７】
また、制御部１０８は、投影手段として機能することにより、画像データ取得手段により取得した画像データに応じた画像を一覧表示して投影する。
【００５８】
ここで、他のプロジェクタ１から取得した画像データは、記憶部１０２の所定の領域に記憶されるとともに、画像情報管理テーブルにより管理される。画像情報管理テーブルは、図１０に示すように、他のプロジェクタ１から取得した画像データのデータファイル名がプロジェクタ１のＩＤ及び画像位置情報に関連付けられて記憶されている。
【００５９】
（リモコン２の構成について）
リモコン２は、図１１に示すように、ＬＣＤ（Liquid Crystal Display）などの表示手段である表示装置２０１、電源スイッチ２０２、上下左右キーである十字キー２０３、決定キー２０４、一覧表示切り替えスイッチ２０５、サイズ指定スイッチ２０６、画像指定スイッチ２０７、プロジェクタ指定スイッチ２０８、縮尺変更スイッチ２０９、色合い変更スイッチ２１０、赤外線通信部２１１などを備えている。ここで、画像データ取得手段で取得する画像データの画像サイズを指定するサイズ指定手段、他のプロジェクタ１が投影中の画像以外の画像を指定する画像指定手段は、このリモコン２と赤外線通信部１０３、或いはプロジェクタ１の操作パネル１０１により構成される。
【００６０】
［３．プロジェクタの具体的動作について］
次に、プロジェクタ１の具体的動作の一例について、図１２〜図１９を参照して説明する。図１２は本実施形態におけるプロジェクタ１のメイン処理フローチャートである。
【００６１】
図１２に示すように、プロジェクタ１の電源スイッチ（図示せず）が押下されたとき、プロジェクタ１の制御部１０８は、記憶部１０２又は記憶装置４から画像データを取得し、取得した画像データに基づく画像を投影部１０７より投影する（ステップＳ１００）。また、ここで、制御部１０８は、投影中フラグをセットする。
【００６２】
次に、制御部１０８は、一覧表示モードが指示されたか否かを判定する（ステップＳ１０１）。この判定は、リモコン２の一覧表示切り替えスイッチ２０５が押下されたか否かによって判定される。この処理において、一覧表示モードが指示されたと判定すると（ステップＳ１０１：Ｙｅｓ）、制御部１０８は、一覧表示処理を行う（ステップＳ１０２）。この一覧表示処理は、他のプロジェクタ１から画像データを取得し、当該取得した画像データに基づく画像を一覧表示して投影するものである。この処理は、図１３におけるステップＳ２００〜２０４までの処理であり、後述する。
【００６３】
ステップＳ１０２の一覧表示処理を終えると、制御部１０８は、一覧表示更新処理を行う（ステップＳ１０３）。この一覧表示更新処理は、サイズ指定手段や画像指定手段による指示に基づき、一覧表示して投影した画像の更新を行うものである。この処理は、図１４のステップＳ２５０〜２６２までの処理であり、後述する。
【００６４】
一方、ステップＳ１０１において、一覧表示モードが指示されていないとき（ステップＳ１０１：Ｎｏ）、制御部１０８は、他のプロジェクタ１から画像送信命令を受信したか否かを判定する（ステップＳ１０４）。この処理において、他のプロジェクタ１から画像送信命令を受信したと判定すると（ステップＳ１０４：Ｙｅｓ）、制御部１０８は、画像送信処理を行う（ステップＳ１０５）。この画像送信処理は、一覧表示モード中のプロジェクタ１から受信した画像送信命令に基づき、画像データの送信を行うものである。この処理は、図１９におけるステップＳ３００〜３０１までの処理であり、後述する。
【００６５】
一方、ステップＳ１０４において、他のプロジェクタ１から画像送信命令を受信していないとき（ステップＳ１０４：Ｎｏ）、制御部１０８は、画像再現信号を受信したか否かを判定する（ステップＳ１０６）。この処理において、画像再現信号を受信したと判定すると（ステップＳ１０６：Ｙｅｓ）、制御部１０８は、再現用に指定された画像の画像データ及び投影状態情報を送信する（ステップＳ１０７）。この投影状態情報とは、縮尺率及び色合いに関する情報であり、投影状態管理テーブルに基づいて作成される。
【００６６】
ステップＳ１０３、ステップＳ１０５の処理を終えたとき、或いは、ステップＳ１０４において他のプロジェクタ１から画像送信命令を受信していないとき（ステップＳ１０４：Ｎｏ）、制御部１０８は、投影終了操作がなされたか否かの判定を行う（ステップＳ１０６）。この判定は、操作パネル１０１により投影終了操作が入力されたか否かにより判定されるものである。この処理において、投影終了操作がなされていないとき（ステップＳ１０６：Ｎｏ）、制御部１０８は、処理をステップＳ１００に移行する。一方、投影終了操作がなされたと判定すると（ステップＳ１０６：Ｙｅｓ），制御部１０８は、メイン処理を終了する。
【００６７】
次に、ステップＳ１０２における一覧表示処理について、図１３を用いて具体的に説明する。図１３は本実施形態におけるプロジェクタ１の一覧表示処理フローチャートである。
【００６８】
図１３に示すように、一覧表示処理を開始すると、制御部１０８は、画像投影中のプロジェクタ１の検出を行う（ステップＳ２００）。ここで、制御部１０８は、画像投影中のプロジェクタ１を検出すると、当該プロジェクタ１のＩＤを取得し、画像情報管理テーブルの更新を行う。
【００６９】
次に、制御部１０８は、検出した画像投影中のプロジェクタ１の数に応じて、各プロジェクタ１に要求する画像データの画像サイズを決定する（ステップＳ２０１）。
【００７０】
次に、制御部１０８は、検出したプロジェクタ１に対して、当該プロジェクタ１が投影中の画像の画像データであって、ステップＳ２０１で決定した画像サイズのものを要求するための画像送信命令をＬＡＮインターフェース１０４を介して送信する（ステップＳ２０２）。
【００７１】
次に、制御部１０８は、検出した画像投影中のプロジェクタ１から画像データを受信したか否かを判定する（ステップＳ２０３）。この処理において、画像投影中のプロジェクタ１から画像データを受信したと判定すると（ステップＳ２０３：Ｙｅｓ）、制御部１０８は、受信した各画像データに応じた画像を一覧表示して投影する（ステップＳ２０４）。これにより、一覧表示処理を行ったプロジェクタ１の投影領域４０には、例えば、図３に示すように、各プロジェクタ１が投影中の画像が一覧表示により投影されることとなる。ステップＳ２０４の処理を終えると、制御部１０８は、一覧表示処理を終了する。
【００７２】
次に、ステップＳ１０３の一覧表示更新処理について、図１４を参照して具体的に説明する。図１４は本実施形態におけるプロジェクタ１の一覧表示更新処理フローチャートである。
【００７３】
図１４に示すように、一覧表示更新処理を開始すると、制御部１０８は、取得する画像データの画像サイズの指定がなされたか否かを判定する（ステップＳ２５０）。この判定は、リモコン２のサイズ指定スイッチ２０６が押下された後に、所定の操作が行われたか否かにより判定されるものである。すなわち、リモコン２のサイズ指定スイッチ２０６が押下されると、図１６に示すサイズ指定画面が投影領域４０に表示される。図１６に示すように、このサイズ指定画面には、各プロジェクタ１に要求する画像データの画像サイズの項目が列挙されており、ユーザは、リモコン２の十字キー２０３の右キー及び左キーを押下し、所望の画像サイズの項目が表示されている位置にカーソルが位置した状態で決定キーを押下することによって各プロジェクタ１に要求する画像データの画像サイズを選択する。ここで、所定の操作として、各プロジェクタ１に要求する画像データの画像サイズの選択がなされたとき、制御部１０８は、取得する画像データの画像サイズの指定がなされたと判定する。この処理において、取得する画像データの画像サイズの指定があったと判定すると（ステップＳ２５０：Ｙｅｓ）、制御部１０８は、当該指定に基づき各プロジェクタ１に要求する画像データの画像サイズを決定する（ステップＳ２５１）。
【００７４】
一方、ステップＳ２５０において、画像サイズの指定がないとき（ステップＳ２５０：Ｎｏ）、制御部１０８は、要求する画像データの指定があるか否かを判定する（ステップＳ２５２）。この判定は、リモコン２の画像指定スイッチ２０７が押下された後に、所定の操作が行われたか否かにより判定されるものである。すなわち、リモコン２の画像指定スイッチ２０７が押下されると、図１７に示す画像指定画面が投影領域４０に表示される。図１７に示すように、この画像指定画面には、各プロジェクタ１に要求する画像の項目が列挙されており、ユーザは、リモコン２の十字キー２０３の右キー及び左キーを押下し、所望の画像の項目が表示されている位置にカーソルが位置した状態で決定キー２０４を押下することによって各プロジェクタ１に要求する画像データを選択する。ここで、所定の操作として、各プロジェクタ１に要求する画像データの選択がなされたとき、制御部１０８は、取得する画像データの指定があったと判定する。この処理において、取得する画像データの指定があったと判定すると（ステップＳ２５２：Ｙｅｓ）、制御部１０８は、当該指定に基づき各プロジェクタ１に要求する画像データを決定（ステップＳ２５３）。
【００７５】
一方、ステップＳ２５２において、要求する画像データの指定がないとき（ステップＳ２５２：Ｎｏ）、制御部１０８は、一覧表示ではなく、他のプロジェクタ１において実際に投影されている状態を再現するための画像データを要求するプロジェクタが指定されたか否かを判定する（ステップＳ２５４）。この判定は、リモコン２のプロジェクタ指定スイッチ２０８が押下された後に、所定の操作が行われたか否かにより判定されるものである。すなわち、リモコン２のプロジェクタ指定スイッチ２０８が押下されると、図１８に示すプロジェクタ指定画面が投影領域４０に表示される。図１８に示すように、このプロジェクタ指定画面には、自装置が投影中の画像、或いは、他のプロジェクタ１から取得した画像データに応じた画像を投影するか否かの選択肢がプロジェクタ１ごとに列挙されており、ユーザは、リモコン２の十字キー２０３の右キー及び左キーを押下し、所望の選択肢が表示されている位置にカーソルが位置した状態で決定キー２０４を押下することによって各プロジェクタ１に応じた画像を投影するか否かを選択する。
【００７６】
なお、本実施形態においては、１つのプロジェクタが選択されることとしているが、複数のプロジェクタ１を選択可能として、実際に投影されている状態を順次再現するようにしても良い。また、プロジェクタの選択方法として、一覧表示している画像をリモコン２により選択することで、プロジェクタ１の選択を行うようにしてもよい。
【００７７】
ここで、所定の操作として、各プロジェクタ１に応じた画像を再現投影するか否かの選択がなされたとき、制御部１０８は、画像データを要求するプロジェクタ１の指定がなされたと判定する。この処理において、再現投影用の画像の画像データを要求するプロジェクタ１の指定がなされたと判定すると（ステップＳ２５４：Ｙｅｓ）、制御部１０８は、画像データを要求するプロジェクタ１を決定し、現在投影している一覧表示データを記憶部に保存する（ステップＳ２５５）。
【００７８】
次に、制御部１０８は、選択画像投影処理を行う（ステップＳ２５６）。この選択画像投影処理は、指定されたプロジェクタ１が投影している画像の再現投影を行うものである。この処理は、図１５のステップＳ２８０〜Ｓ２８３までの処理であり、後述する。
【００７９】
ステップＳ２５６の処理を終えると、制御部１０８は、選択解除指示がなされたか否かを判定する（ステップＳ２５７）。この処理において、選択解除指示がなされていないとき（ステップＳ２５７：Ｎｏ）、制御部１０８は、処理をステップＳ２５６に移行する。一方、ステップＳ２５７において、選択解除指示がなされたと判定すると（ステップＳ２５７：Ｙｅｓ）、制御部１０８は、記憶部１０２に保存した一覧表示データを読み出す（ステップＳ２５８）。この処理を終えると、制御部１０８は、処理をステップＳ２６１へ移行する。
【００８０】
一方、ステップＳ２５１、Ｓ２５３の処理を終えたとき、制御部１０８は、各種決定に基づく画像送信命令をＬＡＮインターフェース１０４を介して各プロジェクタ１或いは指定されたプロジェクタ１へ送信する（ステップＳ２５９）。
【００８１】
次に、制御部１０８は、各プロジェクタ１から画像データを受信したか否かを判定する（ステップＳ２６０）。この処理において、各プロジェクタ１から画像データを受信したと判定すると（ステップＳ２６０：Ｙｅｓ）、制御部１０８は、処理をステップＳ２６１へ移行する。
【００８２】
ステップＳ２６１において、制御部１０８は、受信した各画像データ、或いは、記憶部１０２から読み出した一覧表示データに応じた画像を一覧表示して投影する。
【００８３】
ステップＳ２６１の処理を終えたとき、或いは、ステップＳ２５４において画像データを要求するプロジェクタ１の指定がなされていないとき（ステップＳ２５４：Ｎｏ）、制御部１０８は、一覧表示モードの終了が指示されたか否かを判定する（ステップＳ２６２）。この判定は、一覧表示モード中において、リモコン２の一覧表示切り替えスイッチ２０５が押下されたか否かによって判定される。この処理において、一覧表示モードの終了が指示されていないとき（ステップＳ２６２：Ｎｏ）、制御部１０８は、処理をステップＳ２５０に移行する。一方、一覧表示モードの終了が指示されたと判定すると（ステップＳ２６２：Ｙｅｓ）、制御部１０８は、一覧表示更新処理を終了する。
【００８４】
次に、ステップＳ２５６における選択画像投影処理について、図１５を用いて具体的に説明する。図１５は本実施形態におけるプロジェクタ１の選択画像投影処理フローチャートである。
【００８５】
図１５に示すように、選択画像投影処理を開始すると、制御部１０８は、選択されたプロジェクタ１に対して画像再現信号を送信する（ステップＳ２８０）。
【００８６】
次に、制御部１０８は、再現用投影画像の画像データ及び投影状態情報を受信したか否かを判定する（ステップＳ２８１）。この処理において、再現用投影画像の画像データ及び投影状態情報を受信したと判定すると（ステップＳ２８１：Ｙｅｓ）、制御部１０８は、受信した投影状態情報に基づき、投影状態の設定を変更して（ステップＳ２８２）、再現用画像を投影領域４０に投影する（ステップＳ２８３）。この処理を終えたとき、制御部１０８は、選択画像投影処理を終了する。これにより、他のプロジェクタ１において実際に投影されていた画像を、色合いや縮尺率まで含めて再現投影することができ、実際に他のプロジェクタ１の投影画像を見に行かなくても、効果的な投影がされているかを確認することができる。
【００８７】
次に、ステップＳ１０５における画像送信処理について、図１９を用いて具体的に説明する。図１９は本実施形態にかかるプロジェクタ１の画像送信処理フローチャートである。
【００８８】
図１９に示すように、画像送信処理を開始すると、制御部１０８は、受信した画像送信命令に基づき、投影中の画像或いは投影中の画像以外の画像の画像データを指定された画像サイズに変更して、送信する画像データを生成する（ステップＳ３００）。ここで、制御部１０８は、投影中の画像或いは投影中の画像以外の画像の画像データに対して、指定された画像サイズの他、当該画像データに基づく画像の設定情報に基づいて、当該画像データを編集し、送信用の画像データを生成する。これにより、プロジェクタ１は、他のプロジェクタ１から取得した画像データに基づく画像を一覧表示により投影する際に、当該画像に対してなされた設定状態（縮尺や色合いの変更）を再現することができるため、他のプロジェクタ１がどの画像を投影しているのかを把握することができるだけでなく、当該他のプロジェクタ１が当該画像をどのような設定状態で投影しているのかを把握することができる。
【００８９】
次に、制御部１０８は、生成した画像データを一覧表示モード中のプロジェクタ１に対してＬＡＮインターフェース１０４を介して送信する（ステップＳ３０１）。この処理を終えると、制御部１０８は、画像送信処理を終了する。
【００９０】
このように、本実施形態にかかるプロジェクタシステムＳは、複数のプロジェクタ１のうちの一のプロジェクタ１は、通信経路３を介して接続された他のプロジェクタ１のうち、画像を投影中のプロジェクタ１を検出する検出手段と、当該検出手段によって検出された画像投影中のプロジェクタ１で投影中の画像の画像データを要求する画像送信命令を送信する投影画像送信要求手段と、当該投影画像送信要求手段で要求して取得した画像データに応じた画像を一覧表示して投影する投影手段と、を備え、他のプロジェクタ１は、一のプロジェクタ１からの要求に応じて、自装置が画像を投影中であるか否かを判定する投影状態検出手段と、投影状態検出手段により自装置で画像を投影していると判定したときに、一のプロジェクタ１からの要求に応じて自装置で投影中の画像に応じた画像データを送信する画像データ送信手段と、を備えているため、一のプロジェクタ１を用いて、他のプロジェクタ１が現在どのような画像を投影しているかを容易に把握することが可能となる。
【００９１】
さらに、本実施形態にかかるプロジェクタ１は、検出手段で検出した画像投影中のプロジェクタ１の数に応じた画像サイズの画像データを他のプロジェクタに要求することとしたため、取得した画像を投影手段により一覧表示して投影した際の投影画像の見栄えを良くすることができる。
【００９２】
さらに、本実施形態にかかるプロジェクタ１は、画像データ取得手段で取得する画像データの画像サイズを指定するサイズ指定手段を有する構成としたため、他のプロジェクタ１が投影中の画像を一覧表示して投影する際、任意の画像サイズの画像を投影することができる。
【００９３】
さらに、本実施形態にかかるプロジェクタ１は、画像指定手段を有することにより、投影手段により投影する画像として、他のプロジェクタ１が投影中の画像以外の画像も一覧表示して投影することができる。
【００９４】
以上、本発明の実施の形態のうちのいくつかを図面に基づいて詳細に説明したが、これらは例示であり、当業者の知識に基づいて種々の変形、改良を施した他の形態で本発明を実施することが可能である。
【００９５】
例えば、本実施形態において、プロジェクタ１は、一覧表示モード中のプロジェクタ１へ投影中の画像又は投影中以外の画像の画像データを送信する際、縮尺率や色合い等の設定情報に基づいて画像データを編集して送信用の画像データを生成し、当該生成した画像データを一覧表示中のプロジェクタ１へ送信することとしたが、これに代えて、画像データを送信するプロジェクタ１が、投影中の画像又は投影中以外の画像の画像データとともに当該画像に応じた設定情報を一覧表示モード中のプロジェクタ１へ送信し、当該一覧表示モード中のプロジェクタ１が当該画像データを設定情報に基づき編集し、当該編集後の画像データに基づく画像を一覧表示して投影することとしてもよい。
【図面の簡単な説明】
【００９６】
【図１】本実施形態におけるプロジェクタシステムの適用例を示した図であり、
【図２】本実施形態にかかるプロジェクタシステムの概略的なシステム構成図である。
【図３】本実施形態における各プロジェクタが投影中の画像を一覧表示した際に表示される画像の一例を示した図である。
【図４】画像投影中のプロジェクタが９台ある場合における、一覧表示した投影画像の一例である。
【図５】サイズ指定手段により画像サイズを指定した場合における一覧表示した投影画像の一例である。
【図６】本実施形態における画像データ群の説明図である。
【図７】画像指定手段により、投影中の画像以外の画像を要求した場合における一覧表示した投影画像の一例である。
【図８】本実施形態におけるプロジェクタの構成図である。
【図９】本実施形態におけるプロジェクタに記憶される投影状態管理テーブルの一例を示す図である。
【図１０】本実施形態におけるプロジェクタに記憶される画像情報管理テーブルの一例を示す図である。
【図１１】本実施形態におけるリモコンの外観図である。
【図１２】本実施形態におけるプロジェクタのメイン処理フローチャートである。
【図１３】本実施形態におけるプロジェクタの一覧表示処理フローチャートである。
【図１４】本実施形態におけるプロジェクタの一覧表示更新処理フローチャートである。
【図１５】本実施形態におけるプロジェクタの選択画像投影処理フローチャートである。
【図１６】本実施形態におけるプロジェクタの投影領域に表示されるサイズ指定画面の一例である。
【図１７】本実施形態におけるプロジェクタの投影領域に表示される画像指定画面の一例である。
【図１８】本実施形態におけるプロジェクタの投影領域に表示されるプロジェクタ指定画面の一例である。
【図１９】本実施形態にかかるプロジェクタの画像送信処理フローチャートである。
【符号の説明】
【００９７】
Ｓ    プロジェクタシステム
１    プロジェクタ
２    リモコン
３    通信経路
４    記憶装置
４０  投影領域
【図１】
2009086369.tif 000003
【図２】
2009086369.tif 000004
【図３】
2009086369.tif 000005
【図４】
2009086369.tif 000006
【図５】
2009086369.tif 000007
【図６】
2009086369.tif 000008
【図７】
2009086369.tif 000009
【図８】
2009086369.tif 000010
【図９】
2009086369.tif 000011
【図１０】
2009086369.tif 000012
【図１１】
2009086369.tif 000013
【図１２】
2009086369.tif 000014
【図１３】
2009086369.tif 000015
【図１４】
2009086369.tif 000016
【図１５】
2009086369.tif 000017
【図１６】
2009086369.tif 000018
【図１７】
2009086369.tif 000019
【図１８】
2009086369.tif 000020
【図１９】
2009086369.tif 000021